(57)【要約】      （修正有）【課題】硬質の棒状体又は筒状体等の被覆対象物を被覆して使用可能で、意図せず発生した使用者と被覆対象物との衝突の衝撃を緩和し、当該被覆対象物を備えた寝具及び生活道具の安全性及び快適性を向上させることができる保護具を提供する。【解決手段】弾性を備えた多孔質の略筒状の本体部３で構成され、本体部３の内周面に、本体部３の長手方向と略平行に形成された略筋状の突起部１１を具備すること、を特徴とする保護具１を用いて被覆対象物を被覆する。【選択図】図１
0003206695.tif 000002
【実用新案登録請求の範囲】
【請求項１】
弾性を備えた略筒状の本体部で構成され、
前記本体部の内周面に、前記本体部の長手方向と略平行に形成された略筋状の突起部を具備すること、
を特徴とする保護具。
【請求項２】
前記本体部が、エチレンプロピレンジエンゴムからなる多孔質体であること、
を特徴とする請求項１に記載の保護具。
【請求項３】
前記本体部が、蓄光性を有する夜光塗料を含有又は塗布されていること、
を特徴とする請求項１又は２に記載の保護具。
【請求項４】
前記本体部の外周面に、前記本体部の長手方向に延びる切断補助線を有すること、
を特徴とする請求項１〜３のうちのいずれかに記載の保護具。
【請求項５】
前記本体部の外周面において、端部に、周方向に巻くことのできる固定テープを具備すること、
を特徴とする請求項１〜４のうちのいずれかに記載の保護具。
【考案の詳細な説明】
【技術分野】
【０００１】
本考案は、硬質の棒状体又は筒状体等の被覆対象物を被覆して安全性を向上させる保護具に関する。
【背景技術】
【０００２】
ベッドや車椅子は一般的に使用される生活道具であって、特に病院等における医療現場では欠かすことのできないものである。当該ベッドや車椅子は、軽量化及び低コスト化等の観点から金属製のパイプを用いて構成されることが多く、ヘッドボードやフットボード、更に手摺部等は当該パイプが露出した状態となっている。このため、使用者が当該パイプに当たったり衝突したりすると、身体に衝撃を受けることになり、特に使用者が患者や老人の場合は深刻な怪我となる恐れもあった。
【０００３】
これに対し、クッション材を用いて人体の一部がベッド柵等に衝突した際の衝撃を緩衝するベッド柵カバーが提案されている（例えば特許文献１参照）。当該ベッド柵カバーは主にヘッドレスト及びフットレストに装着するものであって、備えられた専用の開口からクッション材を出し入れし、クッション性を調整しつつ安全性を向上するものである。
【先行技術文献】
【特許文献】
【０００４】
【特許文献１】特開２０１４−１５１０６５号公報
【考案の概要】
【考案が解決しようとする課題】
【０００５】
しかしながら、上記特許文献１で開示されているベッド柵カバーは、ヘッドレスト及びフットレストのみに装着できるものであって、使用者が最も手に触れる手摺に対応することができない。また、構造上、種々のベッドや車椅子等に容易に用いることができず、コストの面においても未だ改善の余地があった。
【課題を解決するための手段】
【０００６】
そこで、本考案は、上記問題に鑑みて創作されたものであり、硬質の棒状体又は筒状体等に直接被覆して使用可能であり、意図せず発生した使用者と棒状体又は筒状体等との衝突における衝撃を緩和し、当該棒状体又は筒状体等を備えた寝具及び生活道具における安全性及び快適性の向上を達成する保護具を提供することを目的とする。
【０００７】
上記の課題を解決すべく、本考案は、弾性を備えた略筒状の本体部で構成され、前記本体部の内周面に、前記本体部の長手方向と略平行に形成された略筋状の突起部を具備すること、を特徴とする保護具を提供する。
【０００８】
また、上記のような構成を有する本考案の保護具においては、前記本体部の内周面に、複数の前記突起部を具備することが望ましい。
【０００９】
このような構成を有する本考案の保護具によれば、本体部が内部に微細な孔を多く備えた多孔質であることから優れた弾性を有しており、棒状体又は筒状体等の被覆対象物を被覆することで、使用者と棒状体又は筒状体等とが衝突した際の衝撃を緩和して、安全性を高めることができる。また、本体部の内周面に該本体部の長手方向と略平行に形成された突起部を複数具備することから、棒状体又は筒状体等に対する把持力を高めることができる。
【００１０】
さらに、上記のような構成を有する本考案の保護具においては、前記本体部が、エチレンプロピレンジエンゴム（ＥＰＤＭ）からなる多孔質体であることが望ましい。
【００１１】
エチレンプロピレンジエンゴムは、エチレン、プロピレン及びジエンの三元共重合体であって、優れた耐薬品性と、耐寒性と、耐候性と、反発弾性と、電気的性能と、を備えるため、このような構成を有する本考案の保護具は、幅広い使用環境に適応することができ、特にベッド及び車椅子等が多く用いられる医療現場において安全に使用することができる。
【００１２】
上記のような構成を有する本考案の保護具においては、前記本体部が、蓄光性を有する夜光塗料（例えば硫化亜鉛やアルミン酸ストロンチウム等によって構成された蓄光性を有する夜光塗料）を含有又は塗布されていることが望ましい。
【００１３】
このような構成を有する本考案の保護具によれば、本体部の一部分又は全体に蓄光性を有する夜光塗料が含有又は塗布されており、可視光線や紫外線を蓄光して暗所で発光することができる。これにより、使用者は暗所においても本考案の筒状保護具を視認することができる。
【００１４】
上記のような構成を有する本考案の保護具においては、前記本体部の外周面に、前記本体部の長手方向に延びる切断補助線を有することが望ましい。
【００１５】
このような構成を有する本考案の保護具によれば、使用者は当該切断補助線に沿って本体部を切断することで容易に直線的な腹割りを行うことができる。
【００１６】
また、上記のような構成を有する本考案の保護具においては更に、前記本体部の外径が２４〜３０ｍｍ、内径が１７〜２３ｍｍであることが望ましい。
【００１７】
このような構成を有する本考案の保護具によれば、本体部の外径を２４〜３０ｍｍ、内径を１７〜２３ｍｍとすることで、ベッドや車椅子を構成する金属製パイプの多くを被覆することができると共に、衝撃を吸収するために十分な厚さを確保することができる。
【考案の効果】
【００１８】
本考案によれば、硬質の棒状体又は筒状体等の被覆対象物に対して直接被覆することができる保護具であって、前記被保護物との衝突による衝撃を緩和し、前記被覆対象物を備えた寝具及び生活道具の使用者に対する安全性及び快適性を向上させることができる。
【図面の簡単な説明】
【００１９】
【図１】本発明の一実施形態に係る保護具１の構造を示した図であって、図１（ａ）は、保護具１を保護具１の長手方向に略垂直な方向からみた（垂直視した）側面図であり、図１（ｂ）は、図１（ａ）に示した矢視線Ａにおける断面図である。
【図２】図１に示す保護部１における中空層５の直径を調節する方法を示す図であって、図２（ａ）は、本体部３に対する第一及び第二の切断を示した模式図であり、図２（ｂ）は、本体部３から不要部２９を切り離した状態を示した模式図である。
【図３】図１に示す保護具１の断面図である。
【図４】図１に示す保護具１の使用状態を示す斜視図である。
【図５】図１に示す保護具１をパイプ５１に被覆する工程を示す図であって、図５（ａ）は、保護具１の切断する工程を示した模式図であり、図５（ｂ）は、保護具１をパイプ５１に被覆し、さらに固定する工程を示した模式図である。
【考案を実施するための形態】
【００２０】
以下、本考案の一実施形態に係る保護具１について、図１〜図５を参照しながら詳細に説明する。但し、本考案は図示されるものに限られず、また、各図面は本実施形態を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２１】
１．保護具の構造
図１（ａ）及び（ｂ）を用いて本実施形態における保護具１の詳細について説明する。図１（ａ）及び（ｂ）は、本実施形態における保護具１の構造を示した図であって、図１（ａ）は、本保護具１の長手方向を垂直視した側面図であり、図１（ｂ）は、図１（ａ）に示した矢視線Ａにおける断面図である。
【００２２】
本実施形態の保護具１は、略筒状の本体部３と、該本体部の内部に備えられた中空層５と、該中空層５の長手方向における両端で外部と連通した開口７と、中空層５の内周面９において長手方向と略平行に備えられた筋状の突起部１１と、から構成されている。
【００２３】
図１（ａ）及び（ｂ）に示すとおり、本実施形態の保護具１は、長尺状で略筒状の本体部３を主部材としており、エチレンプロピレンジエンゴム（ＥＰＤＭ）を用いて多孔質に構成されている。当該エチレンプロピレンジエンゴムは、エチレン、プロピレン及びジエンの三元共重合体であって、優れた反発弾性（耐衝撃性）、表面平滑性、耐薬品性、耐寒性、耐候性、及び電気的性能を備えた石油系合成ゴムである。
【００２４】
このため、保護具１は硬質の棒状体又は筒状体等の被覆対象物（本実施形態においては以後「パイプ５１」とも称する。）を含むベッド及び車椅子が用いられる医療現場や介護現場、更には通常の生活環境において、使用者に対する安全性及び快適性を向上させることができる。また、表面平滑性を有することから、触り心地が良く、薬品から受ける影響を低減して安全に使用することもできる。
【００２５】
また、本実施形態の本体部３は上述のとおり多孔質に形成されているため、エチレンプロピレンジエンゴムが有する反発弾性との相乗効果で優れ、特に耐衝撃性も兼ね備えている。この点からも、使用者に対する安全性及び快適性を更に向上している。なお、本体部３はそれぞれが連通しない独立孔を複数設けた多孔質であり、薬品や水の吸収を抑えたものである。
【００２６】
また、本実施形態の保護具１は、所望の着色を行うことが可能であり、当該着色によって意匠性を向上することができる。また、使用者の性格及び状況に応じた色を選定することにより、興奮の沈静や食欲増進等における心理的効果を得ることができる。
【００２７】
本体部３は、一部分又は全体に硫化亜鉛やアルミン酸ストロンチウム等によって構成された蓄光性を有する夜光塗料を含有又は塗布されており、可視光線や紫外線を蓄光して暗所で発光することができる。これにより、例えば使用者が夜間においてベッドと、トイレと、の間を移動する際、本体部３が発光して使用者に保護具１を確実に視認させ、使用者がベッドに衝突することを防止する。
【００２８】
なお、当該本体部３の燐光輝度は、特に制限されることはないが、照射用光源として色比較・色検査用Ｄ６５蛍光ランプ（２００ｌｘ）を用いて２０分間照射し、消灯直後において１００〜１０００ｍｃｄ／ｍ２であることが好ましい。
【００２９】
本体部３の内部に設けられた中空層５は長尺状の略円柱形であり、本体部３の内部の中心位置で、該本体部３の長手方向に略平行に延びるように配設されたものである。また、当該中空層５は、本体部３の両端より外部に貫通した開口７を有しており、該開口７によって中空層５と、外部と、が連通している。更に内周面１０には、後述する略筋状の突起部１１が複数備わっており、当該突起部１１がパイプ５１に当接することにより、把持力を高めている。
【００３０】
本実施形態の筒状保護具１は、本体部３を長手方向に切断して腹割りを行うことにより、パイプ５１に被覆することができる。このため、本体部３の外周面９には、長手方向と略平行に罫書かれた切断補助線１３が備わっており、使用者は当該切断補助線１３に沿って本体部３を切断することで容易に直線的な腹割りを行うことができる。
【００３１】
また、本実施形態の保護具１は、中空層５の直径よりも小さな直径を有するパイプ５１を被覆する場合、当該パイプ５１の直径に合わせて中空層５の直径を調節することができる。図２（ａ）及び（ｂ）を用いて中空層５の直径を調節する方法について説明する。
【００３２】
図２（ａ）に示すように、まず本体部３の外周面９に備えられた切断補助線１３と略平行になるよう、当該本体部３に対して第一の小口面２５から第二の小口面２７まで第一の切断２１を行う。次に、第一の切断２１を行った位置より所望の切断幅Ｗを離間し、第一の切断２１と同じ方法で第二の切断２３を行う。
【００３３】
これによって、図２（ｂ）に示すように、本体部３から不要部２９を切り離すことができ、中空層５の直径を小さくすることでパイプ５１との密着性及び把持力を向上させることができる。
【００３４】
次に、図３を用いて本実施形態の保護具１の径方向におけるサイズ及び突起部１１の詳細を説明する。図３は、本実施形態における保護具１の断面図である。本体部３の外径Ｌ１（本体部３の直径）と、内径Ｌ２（中空層５の直径）と、は同心の略平行であり、外径Ｌ１の直径は２４〜３０ｍｍ、内径Ｌ２の直径は１７〜２３ｍｍであることが望ましい。
【００３５】
外周面９及び内周面１０の直径を当該サイズとすることにより、ベッドや車椅子を構成する金属製パイプの多くを被覆することができると共に、衝撃を吸収するために十分な厚さを確保するという効果を備えることができる。もちろん、被保護物の種類、形状、サイズ及び使用位置等に応じて適宜調整することができる。
【００３６】
また、上述したとおり、本実施形態における保護具１の内周面１０には、複数の突起部１１が備わっており、該突起部１１は本体部３の長手方向に平行に延びた略筋形状をなしている。
【００３７】
この突起部１１は、外径Ｌ１及び内径Ｌ２の中心に向かって突起しており、突起高さは略１ｍｍであることが好ましい。また、それぞれの突起部１１の位置は、外径Ｌ１及び内径Ｌ２の中心を基準として、略２０度の間隔で配設することが好ましい。当該突起部１１を内周面１０に配設することによって、パイプ５１を強固に把持することができる。
【００３８】
２．筒状保護具の装着状況
図４を用いて本実施形態における保護具１の装着状況について説明する。図４は、本実施形態における筒状保護具１を装着したベッドを示す斜視図である。本実施形態の筒状保護具１は、ベッド１００等の寝具や車椅子等の生活道具に含まれるパイプ５１を被覆して使用するものである。
【００３９】
このようにパイプ５１を保護具１で被覆することにより、上述したように、意図せず発生した使用者とパイプ５１との衝突の衝撃を緩和し、当該パイプ５１を備えた寝具及び生活道具の使用者に対する安全性及び快適性の向上が実現される。なお、図４はベッド１００を代表的に用いて説明しているが、当然車椅子のシャフト等に対しても同様に被覆することができる。
【００４０】
３．筒状保護具の製造方法
次に、本実施形態の保護具１の製造工程の一実施形態について簡単に説明する。本実施形態の筒状保護具１の製造工程は、概ね材料配合工程と、押出工程と、加硫発砲工程と、仕上工程と、から構成されている。
【００４１】
まず、材料配合工程において、ＥＰＤＭのゴム材料に、硫黄化合物等の加硫剤及び発泡剤を配合して均一に混合する。なお、夜光塗料（硫化亜鉛やアルミン酸ストロンチウム等）を混合する場合、当該混合もこの工程で行う。
【００４２】
次に、押出工程に移行し、所定の断面形状を有するダイスを備えた押出成形機に対して材料配合工程で混合した未加硫未発泡のＥＰＤＭゴム材料を連続的に供給し、当該押出成形機から所定の断面形状を有する成形体を押し出す。
【００４３】
続いて、加硫発泡工程では、押出成形された成形体を高周波加硫槽（ＵＨＦ）及び熱風加硫槽（ＨＡＶ）に入れて加硫を行う。ここで、成形体に配合された発泡剤が加熱されると、気化を伴って膨張し、当該成型体の内部に気泡空間が形成される。加硫が完了するまで気泡空間は増加し続け、徐々に成型体が多孔質となる。
【００４４】
最後に、加硫発泡工程を終えた成型体を所定の長さに切断し、種々の検査及び細部の修正等からなる仕上工程を行うことで、本実施形態の保護具１を得ることができる。
【００４５】
４．保護具の使用方法
続いて、図５（ａ）及び（ｂ）を用いて本実施形態の保護具１をパイプ５１に被覆する工程についてより詳細に説明する。図５（ａ）及び（ｂ）は、本実施形態の筒状保護具１をパイプ５１に被覆する工程を示した図であって、図５（ａ）は、保護具１の切断する工程を示した模式図であり、図５（ｂ）は、保護具１をパイプ５１に被覆し、さらに固定する工程を示した模式図である。
【００４６】
＜切断工程＞
まず、本実施形態における保護具１を被覆させるパイプ５１の直径と、所望の被覆長さと、を確認した後、保護具１を切断する工程を開始する。図５（ａ）に示すように、本体部３の外周面９に罫書かれた切断補助線１３に沿って当該本体部３を長手方向に切断し、腹割りを行う。
【００４７】
このとき、切断に用いる鋏等の刃物が内周面１０に配設された突起部１１上を通過しないよう注意し、突起部１１間の平坦部を切断する。また、パイプ５１の直径が中空層５の直径よりも小さい場合は、上述した中空層５の直径の調節方法に従ってさらに切断を加えることにより調整を行う。次に、パイプ５１に対する所望の被覆長さに合わせ、本体部３を長手方向に対して略垂直に切断する。なお、出荷時に所定の長さに予め切断しておいてもよく、その場合はこの切断工程は不要である。
【００４８】
＜被覆及び固定工程＞
続いて、保護具１でパイプ５１を被覆する。図５（ｂ）に示すように、パイプ５１における所望の被覆場所に保護具１を接近させ、本体部３の中空層５内にパイプ５１を完全に挿入して被覆する。保護具１がパイプ５１を完全に被覆して把持したことを確認する。
【００４９】
その後、所定の固定テープ３１を本体部３の両端に周方向に巻き付けてパイプ５１に保護具１を完全に固定する。当該固定テープ３１としては、例えば面ファスナを用いることができ、一端を保護具１の本体部３の外周面に縫製や接着等によって予め固定しておくとよい。
【００５０】
かかる固定テープ３１を用いることにより、より確実に保護部１をパイプ５１に固定できる。また、使用者が固定テープ３１に触れることで保護具１の位置やパイプ５１の端部の位置を認識することができ、安全性を更に高めることができる。
【００５１】
以上、本考案の代表的な実施形態について図面を参照しつつ説明してきたが、本実施形態は、これらの実施形態に限定されるものではなく、実用新案登録請求の記載の精神及び教示を含みつつその他の改良や変形が可能であり、改良した態様や変形した態様は全て本実施形態の技術的範囲に含まれる。
【産業上の利用可能性】
【００５２】
例えば、上記実施形態においては、略直線状の切断補助線を有する態様について説明したが、切断補助線は略波状や略鋸刃状であってもよい。また、切断補助線の一部が予めミシン目状ないしは破線状等に切断されていてもよい。更に、切断補助線の表面に破砕溝を設けてもよい。
【００５３】
本考案の保護具は、硬質の棒状体又は筒状体等の被覆対象物を被覆して使用可能で、使用者が上記被覆対象物に衝突が意図せず起こった際の衝撃を緩和し、当該被覆対象物を備えた寝具や生活道具の安全性及び快適性を向上させる。
【００５４】
本考案の保護具を使用可能な被覆対象物を含む寝具や生活道具としては、例えば、ベッド、手摺、車椅子、等が挙げられる。また、本考案の保護具を使用可能な場所としては、例えば、医療現場、介護現場、病院、家庭、学校、等が挙げられる。
【符号の説明】
【００５５】
１      保護具
３      本体部
５      中空層
７      開口
９      外周面
１０    内周面
１１    突起部
１３    切断補助線
２１    第一の切断
２３    第二の切断
２５    第一の小口面
２７    第二の小口面
２９    不要部
３１    固定テープ
５１    パイプ
１００  ベッド
Ｗ      切断幅
Ｌ１    外径
Ｌ２    内径
【図１】
0003206695.tif 000003
【図２】
0003206695.tif 000004
【図３】
0003206695.tif 000005
【図４】
0003206695.tif 000006
【図５】
0003206695.tif 000007